(57)【要約】【課題】利便性の向上を図ることが可能な移動体予約システム、コンピュータシステムの実行方法、及びプログラムを提供する。【解決手段】移動体予約システム１は予約提案部３１５を備える。予約提案部３１５は、不特定の人に対して情報を出力可能な情報デバイス１０を用いて、不特定の人のうちの提案対象者に対し、定期的な運行経路が決まっていない移動体４０の予約に関する予約情報を提案する。【選択図】図１
2020064372.tif 000002
【特許請求の範囲】
【請求項１】
不特定の人に対して情報を出力可能な情報デバイスを用いて、前記不特定の人のうちの提案対象者に対し、定期的な運行経路が決まっていない移動体の予約に関する予約情報を提案する予約提案部を備える、
移動体予約システム。
【請求項２】
前記情報デバイスの周囲にいる複数の前記不特定の人の中から前記提案対象者を探索する探索部を、更に備える、
請求項１に記載の移動体予約システム。
【請求項３】
前記探索部は、前記情報デバイスの周囲にいる前記複数の不特定の人の中から、共に行動している一群の人を前記提案対象者として探索する、
請求項２に記載の移動体予約システム。
【請求項４】
複数の前記移動体の中から、前記提案対象者に提案する予約候補を選択する選択部を、更に備え、
前記予約提案部は、前記情報デバイスを用いて、前記選択部が選択した前記予約候補の予約に関する前記予約情報を提示する、
請求項１〜３のいずれか１項に記載の移動体予約システム。
【請求項５】
前記提案対象者が移動する方面を推定する方面推定部を、更に備え、
前記選択部は、前記複数の移動体の中から、前記方面推定部によって推定された前記方面に向かう前記移動体を前記予約候補として選択する、
請求項４に記載の移動体予約システム。
【請求項６】
前記選択部は、前記複数の移動体の各々が移動する予定の経路に関する経路情報と、前記複数の移動体の各々の空席数に関する空席数情報とに基づいて、前記予約候補を選択する、
請求項４又は５に記載の移動体予約システム。
【請求項７】
前記情報デバイスが出力した前記予約情報に対応する前記移動体の予約を申し込む操作を受け付けると、前記予約情報に対応する前記移動体の予約を行う予約処理部を、更に備える、
請求項１〜５のいずれか１項に記載の移動体予約システム。
【請求項８】
不特定の人に対して情報を出力可能な情報デバイスを用いて、前記不特定の人のうちの提案対象者に対し、定期的な運行経路が決まっていない移動体の予約に関する予約情報を提案する提案処理を含む、
コンピュータシステムの実行方法。
【請求項９】
コンピュータシステムに、
不特定の人に対して情報を出力可能な情報デバイスを用いて、前記不特定の人のうちの提案対象者に対し、定期的な運行経路が決まっていない移動体の予約に関する予約情報を提案する提案処理を実行させるための、
プログラム。
【発明の詳細な説明】
【技術分野】
【０００１】
本開示は、移動体予約システム、コンピュータシステムの実行方法、及びプログラムに関する。より詳細には、本開示は、複数のユーザが利用可能な移動体を利用するための移動体予約システム、コンピュータシステムの実行方法、及びプログラムに関する。
【背景技術】
【０００２】
特許文献１は、車両（移動体）を運行する運送システムを開示している。特許文献１の運送システムは、複数の利用者が入力した複数のサービス予約情報を受け付ける予約受付配車センタを備える。予約受付配車センタは、複数のサービス予約情報に基づいて、複数の利用者に対して同一の車両が配車可能である場合は、同一の車両の最適な運行ルートを探索し、複数の利用者に車両利用場所及び到着時刻を含む予約受付情報を提供する。
【先行技術文献】
【特許文献】
【０００３】
【特許文献１】特開２００１−２２９４９５号公報
【発明の概要】
【発明が解決しようとする課題】
【０００４】
特許文献１の運送システムは、利用者からのサービス予約情報を受け付けると、配車可能な車両を検出して、サービス予約情報を入力した利用者に対して予約受付情報を提供していた。そのため、車両を利用するための行動をとっていない利用者には、利用可能な車両の情報を提供できず、利便性が低かった。
【０００５】
本開示の目的は、利便性の向上を図ることが可能な移動体予約システム、コンピュータシステムの実行方法、及びプログラムを提供することにある。
【課題を解決するための手段】
【０００６】
本開示の一態様の移動体予約システムは予約提案部を備える。前記予約提案部は、不特定の人に対して情報を出力可能な情報デバイスを用いて、前記不特定の人のうちの提案対象者に対し、定期的な運行経路が決まっていない移動体の予約に関する予約情報を提案する。
【０００７】
本開示の一態様のコンピュータシステムの実行方法は提案処理を含む。前記提案処理は、不特定の人に対して情報を出力可能な情報デバイスを用いて、前記不特定の人のうちの提案対象者に対し、定期的な運行経路が決まっていない移動体の予約に関する予約情報を提案する処理である。
【０００８】
本開示の一態様のプログラムは、コンピュータシステムに提案処理を実行させるためのプログラムである。前記提案処理は、不特定の人に対して情報を出力可能な情報デバイスを用いて、前記不特定の人のうちの提案対象者に対し、定期的な運行経路が決まっていない移動体の予約に関する予約情報を提案する処理である。
【発明の効果】
【０００９】
本開示によれば、利便性の向上を図ることが可能である。
【図面の簡単な説明】
【００１０】
【図１】図１は、本開示の一実施形態に係る移動体予約システムを含む全体システムのブロック図である。
【図２】図２は、同上の移動体予約システムが備える情報デバイスの使用状態を説明する説明図である。
【図３】図３は、同上の移動体予約システムが提案対象者を探索する処理を説明するフローチャートである。
【図４】図４は、同上の移動体予約システムが提案対象者が移動する方面を推定する処理を説明するフローチャートである。
【図５】図５は、同上の移動体予約システムが提案対象者の人数を推定する処理を説明するフローチャートである。
【図６】図６は、同上の移動体予約システムが情報デバイスに提示した予約情報の説明図である。
【図７】図７は、同上の移動体予約システムの使用例を説明する説明図である。
【発明を実施するための形態】
【００１１】
以下に説明する実施形態は、本開示の種々の実施形態の一つに過ぎない。本開示の実施形態は、下記実施形態に限定されることはなく、この実施形態以外も含み得る。また、下記の実施形態は、本開示に係る技術的思想を逸脱しない範囲であれば、設計等に応じて種々の変更が可能である。
【００１２】
（実施形態）
（１）概要
本実施形態の移動体予約システム１を含む全体システムのブロック図を図１に示す。
【００１３】
本実施形態の移動体予約システム１は、例えば、複数の移動体４０と、移動体４０に相乗りしたい相乗り利用者との仲介を行う相乗り（ライドシェア）のサービスに適用される。このような、相乗り（ライドシェア）のサービスでは、１台の移動体４０を複数の利用者（複数人又は複数組の利用者）が利用可能であり、複数の利用者の各々が降車位置を指定可能である。また、複数の利用者は別々の場所で移動体４０に搭乗してもよく、複数の利用者の各々が搭乗位置も指定可能である。本実施形態の移動体予約システム１が予約を行う対象の移動体４０は、定期的な運行経路が定められているような移動体４０ではなく、移動体４０の移動経路は、当該移動体４０を利用する利用者の搭乗位置及び降車位置等に応じて最適な経路に変更される。
【００１４】
移動体４０は、例えば、相乗りのサービスを提供する事業者に登録した個人が使用する自動車であるが、タクシー事業者のような旅客運送事業者が配車を管理する営業用の自動車でもよい。
【００１５】
本実施形態の移動体予約システム１は、予約提案部３１５を備える。予約提案部３１５は、不特定の人に対して情報を出力可能な情報デバイス１０を用いて、不特定の人のうちの提案対象者に対し、定期的な運行経路が決まっていない移動体４０の予約に関する予約情報を提案する。
【００１６】
ここにおいて、「不特定の人」とは、情報デバイス１０の周囲にいる任意の人であり、情報デバイス１０が出力する情報を受取可能な人である。したがって、不特定の人は、移動体予約システム１が提供するサービスを利用しない人、情報デバイス１０が出力する情報を受取可能であるが、受け取っていない人も含まれる。情報デバイス１０は、例えば、不特定の人が通行する歩道又は通路等に、不特定の人に対して情報を出力可能な状態で配置されているデジタルサイネージ用の表示端末、又はタブレット端末等のコンピュータ端末である。情報デバイス１０が、不特定の人に対して情報を「出力可能」とは、不特定の人が情報を受取可能な状態で出力することをいう。情報デバイス１０による情報の出力態様としては、例えば不特定の人が閲覧可能なディスプレイ装置への情報の表示、及び、スピーカから不特定の人が聞き取り可能な音声を出力すること等がある。また、「提案対象者」は、情報デバイス１０の周囲にいる不特定の人のうち、予約提案部が予約情報を提案する対象の人である。「予約情報」は、提案対象者に対して予約を推奨する移動体４０（以下、予約候補ともいう。）の予約に関する情報であり、例えば移動体４０に搭乗する場合の搭乗位置及び降車位置に関する情報を少なくとも含む。予約情報は、移動体４０に搭乗する場合の搭乗予定時刻、移動体４０の移動経路、移動体４０の空席数を示す空席数情報等のうち少なくとも１つの情報を更に含んでもよい。
【００１７】
この移動体予約システム１によれば、移動体４０の利用を検討していなかった提案対象者に対して、情報デバイス１０が移動体４０の予約に関する予約情報を提案することで、移動体４０の利用を促すことができる。さらに、不特定の人に対して情報を出力可能な情報デバイス１０を用いて提案対象者に予約情報を提案しているので、スマートフォン等の個人用の情報端末を携帯していない提案対象者に対しても予約情報を提案できる。したがって、提案対象者に対して移動体４０の予約を検討する機会を与えることができ、利便性の向上を図ることができる。
【００１８】
（２）詳細
本実施形態の移動体予約システム１は、情報デバイス１０と、管理サーバ３０とを含む。移動体予約システム１は、情報デバイス１０を用いて、提案対象者に対し、移動体４０の予約に関する予約情報を提案する。
【００１９】
以下、移動体予約システム１の各部の構成を説明する。
【００２０】
（２．１）情報デバイス
情報デバイス１０は、例えば、図２に示すように、不特定の人２が通行する歩道７１に設けられた待合所８０に設置されている。図２では、情報デバイス１０の周囲に４人の人２が存在し、４人の人２を区別して説明する場合、人２Ａ，２Ｂ，２Ｃ，２Ｄと記載する場合もある。
【００２１】
本実施形態の情報デバイス１０は、デジタルサイネージ用の表示端末であり、大画面のタッチパネルディスプレイ２３を有している。情報デバイス１０は、待合所８０の周囲にいる不特定の人２のうちの提案対象者に対して予約情報の提案を行う。本実施形態では、情報デバイス１０から予約情報の提案を受けた提案対象者が、情報デバイス１０を用いて、予約情報に対応する移動体４０の予約を行うことができる。ここで、提案対象者が情報デバイス１０を用いて移動体４０の予約を行う場合、移動体４０に搭乗する搭乗位置として待合所８０を指定してもよいし、待合所８０以外の場所を指定してもよい。つまり、情報デバイス１０から予約情報の提案を受けた提案対象者は、予約した移動体４０に待合所８０で搭乗することもできるし、待合所８０以外の所望の場所で搭乗することもできる。
【００２２】
情報デバイス１０は、図１に示すように、制御部１１と、デバイス側通信部１２と、画像入力部１３と、音声入力部１４と、インターフェイス（Ｉ／Ｆ）部１５と、第１記憶部１６と、第２記憶部１７とを備える。
【００２３】
制御部１１は、例えば、プロセッサおよびメモリを有するマイクロコンピュータで構成されている。つまり、制御部１１は、プロセッサおよびメモリを有するコンピュータシステムで実現されている。そして、プロセッサが所定のプログラムを実行することにより、制御部１１が備える各機能（探索部１１１、方面推定部１１２、予約情報受付部１１３、及び操作受付部１１４等の機能）が実現される。プログラムは、メモリに予め記録されていてもよいし、インターネット等の電気通信回線を通じて、又はメモリカード等の非一時的な記録媒体に記録されて提供されてもよい。
【００２４】
デバイス側通信部１２は、例えば電波を媒体とした無線通信を行う通信機能を有し、移動体通信網を含む通信網５０を介して管理サーバ３０と通信する。デバイス側通信部１２は、無線通信を行うものに限定されず、有線通信を行うものでもよい。
【００２５】
画像入力部１３は、カメラ２１から画像データが入力される。カメラ２１は、例えばＣＭＯＳ（Complementary Metal Oxide Semiconductor）イメージセンサ、又はＣＣＤ（Charge Coupled Device）イメージセンサ等のイメージセンサを備える。カメラ２１は、図２に示すように、情報デバイス１０が設置された待合所８０の周囲にいる人２、つまり情報デバイス１０の周囲にいる人２を撮影するために、待合所８０に設置されている。画像入力部１３にはカメラ２１から定期的に画像データが入力されてもよいし、不定期（例えば、カメラ２１の画像に変化があった場合のみ）に画像データが入力されてもよい。
【００２６】
音声入力部１４には、マイク２２から音声データが入力される。マイク２２は、例えばカメラ２１に取り付けられており、マイク２２の設置場所の周辺（カメラ２１の撮影エリアを含む）の音を電気信号に変換して得た音声データを音声入力部１４に出力する。音声入力部１４にはマイク２２から音声データが定常的に入力されてもよいし、マイク２２に所定のしきい値を超える音量の音が入力された場合のみ音声データが入力されてもよい。
【００２７】
インターフェイス部１５は、制御部１１とタッチパネルディスプレイ２３との間でデータの入力又は出力を行う機能を有する。タッチパネルディスプレイ２３は、液晶ディスプレイ又は有機ＥＬ（Electro Luminescence）ディスプレイ等の薄型のディスプレイ装置と、ディスプレイ装置の表面に設けられたタッチパネルとを備える。インターフェイス部１５は、例えば、制御部１１から出力された画像データをタッチパネルディスプレイ２３に出力して、タッチパネルディスプレイ２３に画像を表示させる。また、インターフェイス部１５は、例えば、タッチパネルディスプレイ２３が備えるタッチパネルを用いてユーザがタッチ操作を行った際にタッチパネルディスプレイ２３から出力される操作データを、制御部１１に出力する。
【００２８】
第１記憶部１６は、ＥＥＰＲＯＭ（Electrically Erasable Programmable Read Only Memory）等の電気的に書き換え可能な不揮発性メモリ、又はＲＡＭ（Random Access Memory）等の揮発性メモリを備える。第１記憶部１６は、例えば、情報デバイス１０の設置場所に関する位置情報を記憶する。情報デバイス１０の位置情報は、例えば、情報デバイス１０の設置場所の緯度及び経度の情報を少なくとも含む。情報デバイス１０の位置情報は、緯度及び経度の情報に加え、高度等の情報を含んでもよい。
【００２９】
第２記憶部１７は、ＥＥＰＲＯＭ等の電気的に書き換え可能な不揮発性メモリ、又はＲＡＭ等の揮発性メモリを備える。第２記憶部１７は、例えば、待合所８０の設置場所を含む所定の領域（例えば、待合所８０が所在する町、区、市等の領域、又は待合所８０から一定距離以内の領域）の地図情報を記憶する。ここにおいて、本実施形態では、第１記憶部１６と第２記憶部１７とが別々のメモリで構成されているが、第１記憶部１６と第２記憶部１７とは１つのメモリで実現されてもよい。
【００３０】
探索部１１１は、情報デバイス１０の周囲にいる複数の人（不特定の人２）の中から提案対象者を探索する。
【００３１】
本実施形態では、探索部１１１は、画像入力部１３に入力された画像データと音声入力部１４に入力された音声データとに基づいて、提案対象者を探索する。具体的には、探索部１１１は、画像データ及び音声データに基づいて、情報デバイス１０の周囲にいる不特定の人２を、共に行動している一群の人（グループ利用者）と、単独で行動している人（単独利用者）とに分けて識別する。そして、探索部１１１は、情報デバイス１０の周囲にいる複数の不特定の人２の中から、共に行動している一群の人２（グループ利用者）を、提案対象者として探索する。また、本実施形態の探索部１１１は、情報デバイス１０の周囲にいる不特定の人２の中から、単独で行動している人２（単独利用者）も、提案対象者として探索する。なお、本実施形態の探索部１１１は、単独利用者も提案対象者として探索しているが、グループ利用者のみ提案対象者として探索してもよい。
【００３２】
ここにおいて、探索部１１１は、以下のような処理を行うことによってグループ利用者及び単独利用者を探索している。
【００３３】
探索部１１１は、音声入力部１４に音声データが入力されておらず、画像入力部１３に画像データのみ入力された場合、画像データに基づいてグループ利用者及び単独利用者を探索する。まず、探索部１１１は、画像入力部１３から入力される画像データに対して、人間の顔を検出する検出処理を行う。探索部１１１は、画像データから顔を１つだけ検出すると、検出された１人の人（単独利用者）を提案対象者として検出する。探索部１１１は、画像データから複数の顔を検出すると、検出された複数の顔の向き、複数の顔の間の距離、及び複数の顔の表情のうち少なくとも１つの判断要素に基づいて、共に行動している一群の人（グループ利用者）を検出する。そして、探索部１１１は、画像データから検出したグループ利用者及び単独利用者をそれぞれ提案対象者として検出する。このように、探索部１１１は、会話等で意思疎通を行っている人２をグループ利用者として探索しているので、共通のグループ（例えば家族、会社、学校等）に属しているメンバ又は友達同士等をグループ利用者として探索できる。
【００３４】
また、探索部１１１は、画像入力部１３から画像データが入力された場合に音声入力部１４から音声データが入力されると、画像データと音声データとの両方に基づいて提案対象者を探索する。探索部１１１は、例えば、画像データから口部分に動きがある顔を検出し、口部分に動きがある顔の向きを検出する。また、探索部１１１は、音声認識エンジンを用いて音声データの音声認識を行う。そして、探索部１１１は、音声データに含まれる音声の内容と、口部分に動きがある顔の向きとに基づいて、発話者及び受話者（受話者は１人又は複数人）を特定し、発話者及び受話者をグループ利用者として検出する。
【００３５】
方面推定部１１２は、探索部１１１が探索した提案対象者（単独利用者又はグループ利用者）が、移動する方面（これから移動しようとしている方面）を推定し、推定した方面を示す方面情報をデバイス側通信部１２を介して管理サーバ３０に出力する。ここにおいて、提案対象者が移動する「方面」とは、情報デバイス１０の位置を起点にして、提案対象者の移動方向を大まかに表した地域である。方面推定部１１２は、例えば、画像入力部１３から所定期間（例えば数秒から数分程度の期間）に入力される画像データに基づいて、提案対象者が移動している方向を検出する。方面推定部１１２は、提案対象者が移動している方向と、第１記憶部１６が記憶している情報デバイス１０の設置場所の位置情報と、第２記憶部１７が記憶している周辺の地図情報とに基づいて、提案対象者が移動している方面を推定する。なお、方面推定部１１２は、待合所８０の近くに例えばバス又は路面電車等の交通機関の停留所がある場合に、提案対象者が停留所の方向に移動していれば、当該交通機関の移動方面を提案対象者が移動しようとしている方面と推定してもよい。
【００３６】
予約情報受付部１１３は、管理サーバ３０からデバイス側通信部１２を介して入力される予約情報を受け付ける。予約情報受付部１１３は、移動体４０の予約に関する予約情報を受け付けると、例えばインターフェイス部１５を介してタッチパネルディスプレイ２３に予約情報を提示するための画面データを出力する。タッチパネルディスプレイ２３は、予約情報受付部１１３からインターフェイス部１５を介して画像データが入力されると、予約情報を提示するための画像をディスプレイ装置に表示させる。
【００３７】
操作受付部１１４は、例えば、タッチパネルディスプレイ２３からインターフェイス部１５を介して入力される操作データを受け付ける。操作受付部１１４は、タッチパネルディスプレイ２３からインターフェイス部１５を介して操作データを受け付けると、デバイス側通信部１２を介して管理サーバ３０に操作データを送信させる。例えば、操作受付部１１４は、タッチパネルディスプレイ２３に提示した予約情報に対応する移動体４０の予約を申し込む操作を受け付けると、当該移動体４０の予約を申し込む予約申請情報をデバイス側通信部１２を介して管理サーバ３０に送信させる。
【００３８】
なお、図１及び図２では情報デバイス１０が１つしか図示されていないが、移動体予約システム１では、複数箇所の待合所８０に複数の情報デバイス１０が配置されていてもよい。そして、移動体予約システム１は、複数の情報デバイス１０を用い、複数の情報デバイス１０の各々から、周囲にいる提案対象者に対して予約情報の提案を行えばよい。
【００３９】
（２．２）管理サーバ
管理サーバ３０は、制御部３１と、サーバ側通信部３２とを備える。
【００４０】
制御部３１は、例えば、プロセッサおよびメモリを有するマイクロコンピュータで構成されている。つまり、制御部３１は、プロセッサおよびメモリを有するコンピュータシステムで実現されている。そして、プロセッサが所定のプログラムを実行することにより、制御部３１が備える各機能（位置管理部３１１、経路管理部３１２、空席管理部３１３、選択部３１４、予約提案部３１５、及び予約処理部３１６等の機能）が実現される。プログラムは、メモリに予め記録されていてもよいし、インターネット等の電気通信回線を通じて、又はメモリカード等の非一時的な記録媒体に記録されて提供されてもよい。
【００４１】
サーバ側通信部３２は、例えば電波を媒体とした無線通信を行う通信機能を有し、移動体通信網を含む通信網５０を介して情報デバイス１０及び移動体４０と通信する。なお、サーバ側通信部３２は、無線通信を行うものに限定されず、有線通信を行う通信機能を有するものでもよい。
【００４２】
位置管理部３１１は、複数の移動体４０の各々からサーバ側通信部３２を介して現在位置の位置情報（例えば、緯度、経度、高度等の情報）を定期又は不定期に取得し、取得した位置情報を移動体４０ごとに管理する。複数の移動体４０の各々には個別の識別情報が割り当てられており、位置管理部３１１は、移動体４０の位置情報を、当該移動体４０に割り当てられた識別情報と対応付けてメモリに記憶する。また、位置管理部３１１は、情報デバイス１０の設置場所に関する情報をメモリに記憶する。情報デバイス１０には個別の識別情報が割り当てられており、位置管理部３１１は、情報デバイス１０の設置場所を示す位置情報を、情報デバイス１０の識別情報と対応付けてメモリに記憶する。なお、移動体４０は位置情報を定期的に管理サーバ３０に送信してもよいし、前回の送信位置からの移動距離が所定のしきい値以上になると現在位置の位置情報を管理サーバ３０に送信してもよい。
【００４３】
経路管理部３１２は、複数の移動体４０の各々からサーバ側通信部３２を介して移動体４０の移動経路に関する経路情報を定期又は不定期に取得し、取得した経路情報を管理する。経路管理部３１２は、移動体４０の経路情報を、移動体４０に割り当てられた識別情報と対応付けてメモリに記憶する。経路情報は、移動体４０が移動する予定の経路に関する情報である。経路情報は、移動体４０の現在位置の位置情報と、目的地の位置情報とを少なくとも含む。経路情報は、目的地までに経由する１以上の経由地の位置情報を含んでもよい。なお、移動体４０は経路情報を定期的に管理サーバ３０に送信してもよいし、不定期（例えば、目的地又は経由地等が変化した場合等）に経路情報を管理サーバ３０に送信してもよい。
【００４４】
空席管理部３１３は、複数の移動体４０の各々からサーバ側通信部３２を介して移動体４０の空席数に関する空席数情報を定期又は不定期に取得し、取得した空席数情報を管理する。空席管理部３１３は、移動体４０の空席数情報を移動体４０に割り当てられた識別情報と対応付けてメモリに記憶する。なお、移動体４０は空席数情報を定期的に管理サーバ３０に送信してもよいし、不定期（例えば、現在の空席数が変化したり、搭乗予約が入って空席が埋まった場合等）に空席数情報を管理サーバ３０に送信してもよい。
【００４５】
選択部３１４は、複数の移動体４０の中から、提案対象者に提案する予約候補を選択する。本実施形態では、選択部３１４は、複数の移動体４０の中から、方面推定部１１２によって推定された方面に向かう移動体４０を予約候補として選択する。
【００４６】
具体的には、選択部３１４は、情報デバイス１０からサーバ側通信部３２を介して取得した方面情報と、経路管理部３１２が管理する複数の移動体４０の経路情報とを比較することによって、提案対象者の移動する方面に向かう移動体４０を提案候補として検出する。また、選択部３１４は、空席管理部３１３が管理している空席情報をもとに、提案候補の空席情報を取得する。選択部３１４は、情報デバイス１０からサーバ側通信部３２を介して取得した提案対象者の人数と、提案候補の空席情報とを比較することによって、提案対象者に提案する予約候補を決定する。つまり、選択部３１４は、複数の移動体４０の各々が移動する予定の経路に関する経路情報と、複数の移動体４０の各々の空席数に関する空席数情報とに基づいて、予約候補を選択する。
【００４７】
予約提案部３１５は、選択部３１４が選択した予約候補の現在位置及び経路情報に基づいて、提案対象者に提案する予約情報の内容を決定する。予約情報は、例えば、予約候補である移動体４０の現在の乗車人数と空席数の情報と、移動体４０の経路情報と、当該移動体４０に乗車する搭乗位置及び乗車時刻の情報を含んでいる。予約提案部３１５は、提案対象者に提案する予約情報をサーバ側通信部３２から情報デバイス１０に送信させ、情報デバイス１０によって提案対象者に予約情報を提示させる。すなわち、予約提案部３１５は、情報デバイス１０を用いて、選択部３１４が選択した予約候補の予約に関する予約情報を提示する。
【００４８】
予約処理部３１６は、情報デバイス１０から送信された、予約候補の予約を申し込む予約申請情報をサーバ側通信部３２を介して受け付けると、予約候補の予約処理を行う。つまり、予約処理部３１６は、情報デバイス１０が出力した予約情報に対応する移動体４０（予約候補）の予約を申し込む操作を受け付けると、予約情報に対応する移動体４０の予約を行う。
【００４９】
ここで、予約申請情報には、提案対象者が乗車する場所を示す搭乗位置と、提案対象者を降車させる降車位置の情報と、提案対象者の人数とが少なくとも含まれる。予約処理部３１６は、情報デバイス１０から受け付けた予約申請情報に基づいて予約候補の移動体４０を配車するための配車指示情報を作成し、サーバ側通信部３２を介して予約候補の移動体４０に配車指示情報を送信する。ここで、配車指示情報には、提案対象者を乗車させる搭乗位置と、提案対象者を降車させる降車位置の情報と、提案対象者の人数とが少なくとも含まれる。
【００５０】
（２．３）移動体
本実施形態の移動体予約システム１には複数の移動体４０が登録されている。本実施形態では、複数の移動体４０には、車種又は大きさが異なる複数種類の自動車が含まれている。複数の移動体４０の各々は、制御部４１と、移動体側通信部４２と、位置情報取得部４３と、空席数検出部４４と、を備える。
【００５１】
制御部４１は、例えば、プロセッサおよびメモリを有するマイクロコンピュータで構成されている。つまり、制御部４１は、プロセッサおよびメモリを有するコンピュータシステムで実現されている。そして、プロセッサが所定のプログラムを実行することにより、制御部４１として機能する。プログラムは、メモリに予め記録されていてもよいし、インターネット等の電気通信回線を通じて、又はメモリカード等の非一時的な記録媒体に記録されて提供されてもよい。
【００５２】
移動体側通信部４２は、例えば電波を媒体とした無線通信を行う通信機能を有し、移動体通信網を含む通信網５０を介して管理サーバ３０と通信する。なお、移動体側通信部４２は、無線通信を行うものに限定されず、有線通信を行う通信機能を有するものでもよい。
【００５３】
位置情報取得部４３は、例えば、ＧＰＳ（Global Positioning System）等の測位システムを利用して、移動体４０の現在位置の位置情報（例えば、緯度、経度、高度等の情報）を取得する。なお、位置情報取得部４３は、例えば路車間通信を行うことによって道路に設置されたインフラ設備等から当該移動体４０の現在位置の位置情報を取得してもよい。制御部４１は、定期的又は不定期（例えば、前回送信時の位置からの移動距離が所定のしきい値以上になった場合等）に、移動体４０の位置情報を移動体通信部４２を介して管理サーバ３０に送信する。
【００５４】
空席数検出部４４は、例えば、移動体４０の複数の座席にそれぞれ設けられた荷重センサ等の着座センサを含む。空席数検出部４４は、着座センサを用いて複数の座席に人が着座しているか否かを定期的に検知することで、移動体４０に乗車している人数を検出し、現在の乗車人数をもとに空席数を検出する。なお、空席数検出部４４は、着座センサにより乗車人数を検出し、それによって空席数を検出するものに限定されず、適宜変更が可能である。空席数検出部４４は、例えば移動体４０の車内を撮影するカメラを含み、カメラの画像から移動体４０に乗車している人数を検出し、現在の乗車人数をもとに空席数を検出してもよい。制御部４１は、定期的又は不定期（例えば、空席数検出部４４が検出した空席数が変化した場合等）に、空席数情報を移動体通信部４２を介して管理サーバ３０に送信する。
【００５５】
（２．４）動作
本実施形態の移動体予約システム１の動作について図２〜図７を参照して説明する。
【００５６】
（２．４．１）提案対象者の探索処理
情報デバイス１０が、情報デバイス１０の周囲にいる複数の人２の中から提案対象者を探索する処理を図３等に基づいて説明する。
【００５７】
情報デバイス１０の画像入力部１３には、カメラ２１から定期的又は不定期に画像データが入力される。
【００５８】
情報デバイス１０の探索部１１１は、画像入力部１３に画像データが入力されると、画像データを画像処理して、人の顔の検出処理を行う（Ｓ１）。
【００５９】
探索部１１１は、Ｓ１の検出処理の結果、人の顔を検出できなければ（Ｓ２：Ｎｏ）、Ｓ１の処理に戻る。
【００６０】
探索部１１１は、Ｓ１の検出処理の結果、人の顔を検出できれば（Ｓ２：Ｙｅｓ）、検出された顔が複数か否か、つまり検出された人２が複数人か否かを判断する（Ｓ３）。
【００６１】
探索部１１１は、Ｓ３の判断の結果、検出された人２が１人であれば（Ｓ３：Ｎｏ）、提案対象者は１人であると判断し（Ｓ４）、デバイス側通信部１２から管理サーバ３０に提案対象者の人数を示す人数情報を出力（送信）させる（Ｓ１１）。
【００６２】
探索部１１１は、Ｓ３の判断の結果、検出された人２が複数人であれば（Ｓ３：Ｙｅｓ）、提案対象者の人数を特定するために以下の処理を行う。
【００６３】
探索部１１１は、音声入力部１４に音声データが入力されているか否かを判断し（Ｓ５）、音声入力部１４に音声データが入力されていれば（Ｓ５：Ｙｅｓ）、音声認識エンジンを用いて音声データの音声認識を行う。また、探索部１１１は、音声データが入力されている期間の画像データから口部分に動きがある顔を検出し、この顔を発話者の顔として検出する。また、探索部１１１は、音声データが入力されている期間の画像データを基に、発話者の顔が向いている方向にいる人、又は発話者と向き合っている人を受話者として検出する。このようにして、探索部１１１が、画像データに映っている複数人の人２の中から発話者及び受話者を特定すると（Ｓ６）、発話者及び受話者を、１組の提案対象者（つまり、共に行動している一群の人２であるグループ利用者）と判断し、提案対象者の人数を評価（一次評価）する（Ｓ７）。ここで、探索部１１１は、例えば提案対象者の人数とその確度を示す確度情報とを一次評価値として求める。探索部１１１が、提案対象者の人数が２人であると判断した場合、提案対象者の人数が２人である場合の確度を求める。また、探索部１１１が、提案対象者の人数が２人又は３人であると判断した場合、提案対象者の人数が２人である場合の確度と、提案対象者の人数が３人である場合の確度とをそれぞれ求める。例えば、探索部１１１は、提案対象者の人数が２人である場合の確度（確率）を２０％と、提案対象者の人数が３人である場合の確度（確率）を８０％と求めている。
【００６４】
また、探索部１１１は、画像入力部１３に入力された画像データに基づいて、Ｓ１の検出処理で検出された複数の顔の距離、つまり複数の人２の間の距離を一定時間（例えば数十秒から数分）にわたって記録する（Ｓ８）。探索部１１１は、周囲にいる人との間の距離が所定の距離（例えば１ｍ程度の距離）以下である人２を、共に行動している一群の人２と判断し、この一群の人２を一組の提案対象者と判断して、提案対象者の人数を評価（二次評価）する（Ｓ９）。ここで、探索部１１１は、例えば提案対象者の人数とその確度を示す確度情報とを二次評価値として求める。探索部１１１が、提案対象者の人数が２人であると判断した場合、提案対象者の人数が２人である場合の確度を求める。また、探索部１１１が、提案対象者の人数が２人又は３人であると判断した場合、提案対象者の人数が２人である場合の確度と、提案対象者の人数が３人である場合の確度とをそれぞれ求める（Ｓ９）。例えば、探索部１１１は、提案対象者の人数が２人である場合の確度（確率）を１０％、提案対象者の人数が３人である場合の確度（確率）を９０％と求めている。
【００６５】
探索部１１１は、Ｓ７で音声データ及び画像データから求めた提案対象者の人数の評価値（第１評価値）と、Ｓ９で画像データから求めた提案対象者の人数の評価値（第２評価値）とを用いて提案対象者の人数を決定する（Ｓ１０）。例えば、探索部１１１は、第１評価値と第２評価値とに基づいて、確度が最も高い人数を提案対象者の人数とする。なお、探索部１１１は、第１評価値と第２評価値とに基づいて、確度の平均値が最も高い人数を提案対象者の人数としてもよい。
【００６６】
なお、Ｓ５の判断において、音声入力部１４に音声データが入力されていない場合（Ｓ５：Ｎｏ）、探索部１１１はＳ８〜Ｓ１０の処理を行い、画像データのみから提案対象者の人数の評価値を求める。
【００６７】
探索部１１１は、提案対象者の人数を決定すると、提案対象者の人数の情報をデバイス側通信部１２から管理サーバ３０に出力（送信）させる（Ｓ１１）。
【００６８】
ここにおいて、図２の例では、探索部１１１は、Ｓ１の検出処理で３人の人２Ａ〜２Ｄの顔を検出する。人２Ｃの顔は、カメラ２１と反対方向を向いているので、Ｓ２の検出処理では検出されない。図２中の矢印は人２Ａ〜２Ｄが移動している方向を示している。探索部１１１は、画像データ及び音声データを用いて提案対象者を探索する処理を行っており、会話をしている人２Ａ，２Ｂを２人組の提案対象者として探索し、１人で歩いている人２Ｄを１人の提案対象者として探索する。
【００６９】
（２．４．２）提案対象者の移動方面の推定処理
情報デバイス１０が、「（２．４．１）提案対象者の探索処理」で探索した提案対象者の移動方面を推定する処理を図４等に基づいて説明する。
【００７０】
方面推定部１１２は、画像入力部１３に定期的又は不定期に入力される画像データに基づいて、探索部１１１によって探索された提案対象者の移動方向を所定の監視期間（例えば数十秒から数分程度の期間）に亘って検出する（Ｓ２１）。
【００７１】
方面推定部１１２は、第１記憶部１６から情報デバイス１０の位置情報を取得するとともに、第２記憶部１７から情報デバイス１０の周辺の地図情報を取得する（Ｓ２２）。
【００７２】
方面推定部１１２は、Ｓ２１で求めた提案対象者の移動方向と、Ｓ２２で取得した情報デバイス１０の位置情報、及び情報デバイス１０の周辺の地図情報とに基づいて、提案対象者が移動しようとしている方面（移動方面）を推定する（Ｓ２３）。ここにおいて、移動方面は、情報デバイス１０の位置を起点にして、提案対象者の移動方向を大まかに表した地域であり、例えば待合所８０の傍の道路７０を、提案対象者の移動方向に向かって進んだ場合に到達する地域である。なお、方面推定部１１２は、待合所８０の近くに例えばバス又は路面電車等の交通機関の停留所がある場合に、提案対象者が停留所の方向に移動していれば、当該交通機関の移動方面を提案対象者の移動方面と推定してもよい。
【００７３】
また、方面推定部１１２は、画像データから推定した提案対象者の属性、現在時刻、待合所８０が設置されている場所、待合所８０の周辺で開催されるイベント情報、等に基づいて提案対象者の移動方面を推定してもよい。ここで、提案対象者の属性は、例えば提案対象者の年齢、性別、提案対象者の服装、提案対象者が所持する物品等である。提案対象者が複数人のグループ利用者の場合、提案対象者の属性は、グループ利用者が共に属しているグループ（例えば、家族、会社、学校等）を含んでもよい。方面推定部１１２は、例えば提案対象者が複数人の会社仲間のグループで、時間帯が夕方である場合、移動方面を繁華街がある方面と推定してもよい。また、方面推定部１１２は、例えば提案対象者が若者のグループで、時間帯が休日の朝であれば、移動方面を遊園地等がある方面と推定してもよい。また、方面推定部１１２は、画像データをもとに提案対象者が所持する物品（例えば、提案対象者の行先（場所又はイベント等）に関連した物品等）又は提案対象者の服装を検出し、物品又は服装に基づいて提案対象者が移動しようとする方面を推定してもよい。例えば、提案対象者が、テーマパーク又はイベント（例えば音楽、スポーツ等のイベント）等で使用する物品を所持している場合、方面推定部１２は、テーマパークの場所、又はイベントの開催場所がある方面を、提案対象者が移動しようとしている方面と判断すればよい。
【００７４】
方面推定部１１２は、提案対象者の移動方向を推定すると、推定結果をデバイス側通信部１２から管理サーバ３０に出力（送信）させる（Ｓ２４）。
【００７５】
（２．４．３）予約候補の選定処理
情報デバイス１０が、提案対象者に対して予約を提案する予約候補の選定処理を図５等に基づいて説明する。
【００７６】
管理サーバ３０の制御部３１が、情報デバイス１０からサーバ側通信部３２を介して提案対象者の人数及び移動方面の情報を取得すると（Ｓ３１）、提案対象者に提案する予約候補を選定する処理を開始する。
【００７７】
まず、選択部３１４が、経路管理部３１２が管理する経路情報に基づいて、提案対象者の情報を送信してきた情報デバイス１０の設置場所付近を通り、提案対象者の移動方面に向かう移動体４０を推奨候補として抽出する（Ｓ３２）。
【００７８】
ここで、制御部３１は推奨候補が見つかったか否かを判断し、推奨候補が存在しない場合（Ｓ３３：Ｎｏ）、管理サーバ３０の制御部３１は、提案対象者に対して予約候補を提案する処理を行わない。
【００７９】
一方、推奨候補が存在する場合（Ｓ３３：Ｙｅｓ）、制御部３１は推奨候補が複数あるか否かを判断する（Ｓ３４）。
【００８０】
Ｓ３４において推奨候補が１つであれば（Ｓ３４：Ｎｏ）、予約提案部３１５は、Ｓ３２で抽出された推奨候補を予約候補とし、予約候補に関する予約情報を作成し、サーバ側通信部３２から情報デバイス１０に送信させる（Ｓ３９）。予約情報には、予約候補の車種、予約候補に搭乗する搭乗位置及び搭乗予定時刻、降車位置、空席管理部３１３から取得した予約候補の空席数等の情報が含まれる。情報デバイス１０のデバイス側通信部１２が管理サーバ３０から予約情報を受信すると、予約情報受付部１１３が管理サーバ３０から送信された予約情報を受け付けて、タッチパネルディスプレイ２３に表示させる。
【００８１】
ここで、図６はタッチパネルディスプレイ２３に表示される予約情報の一例を示す。タッチパネルディスプレイ２３には、予約候補の車種、予約候補に搭乗する搭乗位置及び搭乗予定時刻、降車位置、空席管理部３１３から取得した予約候補の空席数等の情報Ａ１が文字等で表示されている。また、タッチパネルディスプレイ２３の表示画面には、表示画面に予約情報が表示された予約候補を予約するための操作ボタンＢ１が表示されている。タッチパネルディスプレイ２３に表示された予約情報を見た提案対象者が、予約候補を予約するために操作ボタンＢ１を選択するタッチ操作を行うと、情報デバイス１０の操作受付部１１４が提案対象者の操作を受け付け、予約候補の予約を申し込む予約申請情報をデバイス側通信部１２を介して管理サーバ３０に送信させる。管理サーバ３０のサーバ側通信部３２が情報デバイス１０から予約申請を受信すると、予約処理部３１６が、予約候補の配車を指示する配車情報をサーバ側通信部３２から予約候補の移動体４０に送信させる。また、管理サーバ３０の予約処理部３１６は、予約を受け付けたことを示す予約完了情報をサーバ側通信部３２から情報デバイス１０に送信させ、表示デバイス１０に予約完了情報を提示させるので、提案対象者は予約が完了したことを把握できる。
【００８２】
予約候補の移動体４０の移動体側通信部４２が配車情報を受信すると、制御部４１が、管理サーバ３０から送信された配車情報に移動経路を更新し、更新後の移動経路にしたがって移動体４０を走行させる。これにより、移動体４０を提案対象者が待っている待合所８０に向かって配車することができ、提案対象者は配車された移動体４０に搭乗して目的地に移動することができる。ここで、管理サーバ３０の予約処理部３１６は、予約完了情報を表示デバイス１０に提示させる場合に、提案対象者の認証に用いる予約番号を表示デバイス１０に提示させてもよい。移動体４０が搭乗位置に到着した場合に、提案対象者が、移動体４０に設けられた入力装置（キーパッド又は音声入力装置）に予約番号を入力すると、移動体４０の制御部４１が提案対象者の搭乗を許可してもよい。これにより、予約候補の予約を行った人２（提案対象者）以外の人物が、配車された移動体４０に確実に搭乗することができる。また、提案対象者が、移動体４０への搭乗を予約したタイミング、移動体４０に搭乗したタイミング、移動体４０から降車したタイミング、又は移動体４０から降車した後の任意のタイミングで、移動体４０の利用に対する対価の決済処理が適宜の方法で行われる。
【００８３】
なお、情報デバイス１０は、タッチパネルディスプレイ２３に予約情報を表示させてから所定の表示時間が経過すると、予約情報の表示を停止させており、次の提案対象者に対して移動体４０の予約を提案することができる。
【００８４】
一方、Ｓ３４において推奨候補が複数あれば（Ｓ３４：Ｙｅｓ）、選択部３１４が、推奨候補の移動経路と情報デバイス１０の設置場所との最短距離が所定の基準距離以下である推奨候補のみに絞り込む処理を行う（Ｓ３５）。
【００８５】
ここで、選択部３１４は、Ｓ３５で絞り込まれた後の推奨候補が複数あるか否かを判断し（Ｓ３６）、推奨候補の数が１つであれば（Ｓ３６：Ｎｏ）、予約提案部３１５が、推奨候補を予約候補とし、予約候補に関する予約情報を作成し、サーバ側通信部３２から情報デバイス１０に送信させる（Ｓ３９）。情報デバイス１０の予約情報受付部１１３が管理サーバ３０から送信された予約情報を受け付けると、タッチパネルディスプレイ２３に予約情報を表示させるので、提案対象者は、タッチパネルディスプレイ２３に表示された予約情報を受け取ることができる。
【００８６】
一方、Ｓ３５で絞り込まれた後の推奨候補が複数あれば（Ｓ３６：Ｙｅｓ）、選択部３１４は、空席管理部３１３から推奨候補の空席数を示す空席数情報を取得する（Ｓ３７）。選択部３１４は、空席数情報に基づいて、複数ある推奨候補の中から空席数が提案対象者の人数以上の推奨候補を選択して予約候補とする（Ｓ３８）。なお、空席数が提案対象者の人数以上の推奨候補が複数存在する場合、選択部３１４は、複数の推奨候補を予約候補としてもよい。また、空席数が提案対象者の人数以上の推奨候補が複数存在する場合、選択部３１４は、空席数が最も多い推奨候補を予約候補としてもよい。空席数が少ない推奨候補には利用者が多く乗っていると推定され、利用者の数が多いほど利用者を降車するための降車位置（経由地）が増えるので、提案対象者が目的地に到達するまでの時間が長くなる可能性がある。そのため、選択部３１４が、空席数が最も多い推奨候補を予約候補とすることで、提案対象者が目的地により早く到着可能な推奨候補を提案対象者に提案することができる。
【００８７】
例えば、図７に示すように、情報デバイス１０Ａが設置されている待合所８０に近付いてくる３台の移動体４０Ａ〜４０Ｃが存在する場合に、移動体４０Ａ，４０Ｂは矢印Ｄ１の方向に移動し、移動体４０Ｃは矢印Ｄ２の方向に移動しているものとする。提案対象者も矢印Ｄ１の方面に移動している場合、移動体４０Ａ，４０Ｂは、提案対象者である人２の移動方面に向かって移動しているが、移動体４０Ｃは、提案対象者である人２の移動方面とは異なる方面に向かって移動している。したがって、選択部３１４は、移動体４０Ａ〜４０Ｃの中から移動体４０Ａ，４０Ｂを推奨候補に決定する。また、選択部３１４は、移動体４０Ａ，４０Ｂの空席数情報に基づいて推奨候補の中から予約候補を決定しており、移動体４０Ａの空席数が３席、移動体４０Ｂの空席数が２席である場合は、空席数が多い移動体４０Ａを予約候補に決定する。
【００８８】
選択部３１４は、予約候補を決定すると、予約候補に関する予約情報を作成し、サーバ側通信部３２から情報デバイス１０に送信させる（Ｓ３９）。情報デバイス１０のデバイス側通信部１２が管理サーバ３０から予約情報を受信すると、予約情報受付部１１３が管理サーバ３０から送信された予約情報を受け付けて、タッチパネルディスプレイ２３に表示させる。
【００８９】
以上のように、本実施形態の移動体予約システム１は、複数の移動体４０から選択された予約候補の予約を提案対象者に提案することができ、移動体４０を利用する意図がなかった提案対象者に、移動体４０の利用を検討する機会を提供できる。これにより、移動体予約システム１の利便性を向上させることができ、また相乗りサービスに利用される移動体４０の稼働率を高めることもできる。なお、移動体予約システム１が、提案対象者を探索して、提案対象者に移動体４０の予約に関する予約情報を提案した後、提案対象者が移動体４０を予約し、移動体４０を利用するまでの上記の処理は一例であり、適宜変更が可能である。
【００９０】
（３）変形例
上記実施形態は、本開示の様々な実施形態の一つに過ぎない。上記実施形態は、本開示の目的を達成できれば、設計等に応じて種々の変更が可能である。また、移動体予約システム１と同様の機能は、コンピュータシステムの実行方法、及びプログラムを記録した非一時的な記録媒体等で具現化されてもよい。一態様に係るコンピュータシステムの実行方法は提案処理を含む。提案処理は、不特定の人２に対して情報を出力可能な情報デバイス１０を用いて、不特定の人２のうちの提案対象者に対し、定期的な運行経路が決まっていない移動体４０の予約に関する予約情報を提案する処理である。また、一態様に係る（コンピュータ）プログラムは、コンピュータシステムに、上記の提案処理を実行させるためのプログラムである。
【００９１】
以下、上記の実施形態の変形例を列挙する。以下に説明する変形例は、適宜組み合わせて適用可能である。
【００９２】
本開示における移動体予約システム１は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における移動体予約システム１としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００９３】
また、移動体予約システム１における複数の機能が、複数の筐体（情報デバイス１０及び管理サーバ３０）に分散して設けられているが、１つの筐体（情報デバイス１０又は管理サーバ３０）に集約されていてもよい。さらに、移動体予約システム１の少なくとも一部の機能、例えば、情報デバイス１０及び管理サーバ３０の一部の機能がクラウド（クラウドコンピューティング）等によって実現されてもよい。
【００９４】
反対に、上記実施形態において、複数の装置に分散されている移動体予約システム１の少なくとも一部の機能が、１つの筐体内に集約されていてもよい。例えば、情報デバイス１０と管理サーバ３０とに分散されている移動体予約システム１の一部の機能が、１つの筐体内に集約されていてもよい。
【００９５】
上記実施形態では、移動体予約システム１は、図７に示すように、情報デバイス１０を用いて、１つの予約候補に関する予約情報Ａ１を表示しているが、情報デバイス１０を用いて、複数の予約候補に関する予約情報を表示してもよい。例えば、移動体予約システム１は、１組（１人又は複数人）の提案対象者に対する複数の予約情報を情報デバイス１０に提示させてもよいし、複数組の提案対象者に対する複数の予約情報を情報デバイス１０に提示させてもよい。ここで、情報デバイス１０は、複数の予約情報をタッチパネルディスプレイ２３の一画面に表示してもよいし、複数の予約情報のうち表示する予約情報を所定の時間ごとに切り替えてタッチパネルディスプレイ２３の一画面に表示してもよい。複数の予約情報をタッチパネルディスプレイ２３の一画面に表示する場合、複数の予約情報は、画面をスクロールさせることで確認できる状態でタッチパネルディスプレイ２３の画面に表示されていてもよい。これにより、提案対象者は、タッチパネルディスプレイ２３に表示された複数の予約情報を受け取ることができる。
【００９６】
上記実施形態では、情報デバイス１０が待合所８０に配置されていたが、情報デバイス１０は所定の場所に固定されたデバイスに限定されず、移動が可能なデバイスでもよい。
【００９７】
上記実施形態では、提案対象者の人数が１人又は２人の場合を例に説明したが、提案対象者の人数は３人以上の任意の人数でもよい。
【００９８】
上記実施形態では、提案対象者は、不特定の人が利用可能な情報デバイス１０を用いて、情報デバイス１０が提示した予約情報に対応する移動体４０の予約を行うことができるが、情報デバイス１０で移動体４０の予約までを行うことは必須ではない。提案対象者は、情報デバイス１０によって予約情報が提案された移動体４０の予約を、提案対象者が携帯するスマートフォン等の情報端末を用いて行ってもよい。
【００９９】
上記実施形態では、移動体４０は自動車であったが、移動体４０は、複数の利用者が利用可能な鉄道、船舶、航空機等の乗り物でもよい。
【０１００】
上記実施形態において、測定データなどの２値の比較において、「以上」としているところは「より大きい」であってもよい。つまり、２値の比較において、２値が等しい場合を含むか否かは、基準値等の設定次第で任意に変更できるので、「以上」か「より大きい」かに技術上の差異はない。同様に、「以下」としているところは「未満」であってもよい。
【０１０１】
（まとめ）
以上説明したように、第１の態様に係る移動体予約システム（１）は予約提案部（３１５）を備える。予約提案部（３１５）は、不特定の人（２）に対して情報を出力可能な情報デバイス（１０）を用いて、不特定の人（２）のうちの提案対象者に対し、定期的な運行経路が決まっていない移動体（４０）の予約に関する予約情報を提案する。
【０１０２】
この態様によれば、予約提案部（３１５）が情報デバイス（１０）を用いて提案対象者に予約情報を提案しているので、移動体（４０）の利用を検討していない提案対象者に対して、移動体（４０）の利用を検討する機会を与えることができる。したがって、移動体（４０）を利用しやすくなり、利便性の向上を図ることが可能な移動体予約システム（１）を提供できる。
【０１０３】
第２の態様に係る移動体予約システム（１）は、第１の態様において、探索部（１１１）を、更に備える。探索部（１１１）は、情報デバイス（１０）の周囲にいる複数の不特定の人（２）の中から提案対象者を探索する。
【０１０４】
この態様によれば、探索部（１１１）によって探索された提案対象者に対して予約情報を提案できる。
【０１０５】
第３の態様に係る移動体予約システム（１）では、第２の態様において、探索部（１１１）は、情報デバイス（１０）の周囲にいる複数の不特定の人（２）の中から、共に行動している一群の人（２）を提案対象者として探索する。
【０１０６】
この態様によれば、共に行動している一群の人（２）に対して予約情報を提案できる。
【０１０７】
第４の態様に係る移動体予約システム（１）は、第１〜３のいずれかの態様において、複数の移動体（４０）の中から、提案対象者に提案する予約候補を選択する選択部（３１４）を、更に備える。予約提案部（３１５）は、情報デバイス（１０）を用いて、選択部（３１４）が選択した予約候補の予約に関する予約情報を提示する。
【０１０８】
この態様によれば、選択部（３１４）が、複数の移動体（４０）の中から提案対象者に提案する予約候補を選択しているので、提案対象者に適した予約候補の予約情報を提案することができ、利便性の向上を図ることができる。
【０１０９】
第５の態様に係る移動体予約システム（１）は、第４の態様において、提案対象者が移動する方面を推定する方面推定部（１１２）を、更に備える。選択部（３１４）は、複数の移動体（４０）の中から、方面推定部（１１２）によって推定された方面に向かう移動体（４０）を予約候補として選択する。
【０１１０】
この態様によれば、提案対象者が移動する方面に向かう移動体（４０）の予約情報を提案できるので、利便性の向上を図ることができる。
【０１１１】
第６の態様に係る移動体予約システム（１）では、第４又は第５の態様において、選択部（３１４）は、複数の移動体（４０）の各々が移動する予定の経路に関する経路情報と、複数の移動体（４０）の各々の空席数に関する空席数情報とに基づいて、予約候補を選択する。
【０１１２】
この態様によれば、移動体（４０）の経路情報と空席数情報とを考慮して予約候補を選択できる。
【０１１３】
第７の態様に係る移動体予約システム（１）は、第１〜第５のいずれかの態様において、予約処理部（３１６）を更に備える。予約処理部（３１６）は、情報デバイス（１０）が出力した予約情報に対応する移動体（１０）の予約を申し込む操作を受け付けると、予約情報に対応する移動体（４０）の予約を行う。
【０１１４】
この態様によれば、予約処理部（３１６）は、予約を申し込む操作を受け付けると、予約情報に対応する移動体（１０）の予約を行うので、利便性の向上を図ることができる。
【０１１５】
第８の態様に係るコンピュータシステムの実行方法は提案処理を含む。提案処理は、不特定の人（２）に対して情報を出力可能な情報デバイス（１０）を用いて、不特定の人（２）のうちの提案対象者に対し、定期的な運行経路が決まっていない移動体（４０）の予約に関する予約情報を提案する処理である。
【０１１６】
この態様によれば、情報デバイス（１０）を用いて提案対象者に予約情報を提案しているので、移動体（４０）の利用を検討していない提案対象者に対して、移動体（４０）の利用を検討する機会を与えることができる。したがって、移動体（４０）を利用しやすくなり、利便性の向上を図ることができる。
【０１１７】
第９の態様に係るプログラムは、コンピュータシステムに提案処理を実行させるためのプログラムである。提案処理は、不特定の人（２）に対して情報を出力可能な情報デバイス（１０）を用いて、不特定の人（２）のうちの提案対象者に対し、定期的な運行経路が決まっていない移動体（４０）の予約に関する予約情報を提案する処理である。
【０１１８】
この態様によれば、情報デバイス（１０）を用いて提案対象者に予約情報を提案しているので、移動体（４０）の利用を検討していない提案対象者に対して、移動体（４０）の利用を検討する機会を与えることができる。したがって、移動体（４０）を利用しやすくなり、利便性の向上を図ることができる。
【０１１９】
第１０の態様に係る移動体予約システム（１）では、第２〜５のいずれかの態様において、探索部（１１１）は、情報デバイス（１０）の周囲を撮影するカメラの画像に基づいて提案対象者を探索する。
【０１２０】
この態様によれば、利便性の向上を図ることができる。
【０１２１】
第１１の態様に係る移動体予約システム（１）では、第２〜５及び１０のいずれかの態様において、探索部（１１１）は、情報デバイス（１０）の周囲にいる不特定の人（２）の音声を音声認識して求めた音声の内容に基づいて提案対象者を探索する。
【０１２２】
この態様によれば、利便性の向上を図ることができる。
【０１２３】
第１２の態様に係る移動体予約システム（１）では、第７の態様において、予約提案部（３１５）は、複数の移動体（４０）の中から空席数がより多い移動体（４０）を予約候補として選択する。
【０１２４】
この態様によれば、利便性の向上を図ることができる。
【０１２５】
第１３の態様に係る移動体予約システム（１）では、予約提案部（３１５）は、複数の情報デバイス（１０）を用いて、複数の情報デバイス（１０）のそれぞれから提案対象に対して予約情報を提案する。
【０１２６】
この態様によれば、利便性の向上を図ることができる。
【０１２７】
上記態様に限らず、上記実施形態に係る移動体予約システム（１）の種々の構成（変形例を含む）は、コンピュータシステムの実行方法、（コンピュータ）プログラム、又はプログラムを記録した非一時的記録媒体等で具現化可能である。
【０１２８】
第２〜第７及び第１０〜第１３の態様に係る構成については、移動体予約システム（１）に必須の構成ではなく、適宜省略可能である。
【０１２９】
第１５の態様に係る移動体予約システム（１）では、移動体（４０）は、定期的な運行経路が定められているような移動体（４０）でもある。この種の移動体（４０）としては鉄道、路線バス、高速バス、船舶、及び航空機等がある。第１５の態様に係る移動体予約システム（１）は、第１〜第７及び第１０〜第１３のいずれかの態様を前提とすることは必須ではない。すなわち、第１５の態様に係る移動体予約システム（１）は、予約提案部（３１５）を備える。予約提案部（３１５）は、不特定の人（２）に対して情報を出力可能な情報デバイス（１０）を用いて、不特定の人（２）のうちの提案対象者に対し、定期的な運行経路が決まっている移動体（４０）の予約に関する予約情報を提案する。
【符号の説明】
【０１３０】
１  移動体予約システム
２  人
１０  情報デバイス
４０  移動体
１１１  探索部
１１２  方面推定部
３１５  予約提案部
３１６  予約処理部
【図１】
2020064372.tif 000003
【図２】
2020064372.tif 000004
【図３】
2020064372.tif 000005
【図４】
2020064372.tif 000006
【図５】
2020064372.tif 000007
【図６】
2020064372.tif 000008
【図７】
2020064372.tif 000009